(57)【特許請求の範囲】
【請求項１】
エステル化セルロースエーテルを調製するためのプロセスであって、セルロースエーテルを、（ｉ）脂肪族モノカルボン酸無水物もしくは（ｉｉ）ジカルボン酸無水物または（ｉｉｉ）脂肪族モノカルボン酸無水物とジカルボン酸無水物との組み合わせでエステル化するステップを含み、前記エステル化反応が酢酸及び二酢酸アルカリ金属塩の存在下で行われる、プロセス。
【請求項２】
モル比［酢酸／セルロースエーテルの無水グルコース単位］が、［１．２：１］〜［２０：１］である、請求項１に記載のプロセス。
【請求項３】
モル比［二酢酸アルカリ金属塩／セルロースエーテルの無水グルコース単位］が、［０．４：１］〜［５：１］である、請求項１または２に記載のプロセス。
【請求項４】
前記セルロースエーテルが、ウベローデに従って２０℃の２．０重量％水溶液として測定されたとき、１．８〜１００ｍＰａ・ｓの粘度を有する、請求項１〜３のいずれか一項に記載のプロセス。
【請求項５】
前記セルロースエーテルであるヒドロキシプロピルメチルセルロースが、前記ジカルボン酸無水物である無水コハク酸及び前記脂肪族モノカルボン酸無水物である無水酢酸でエステル化されて前記エステル化セルロースエーテルである酢酸コハク酸ヒドロキシプロピルメチルセルロースを生成する、請求項１〜４のいずれか一項に記載のプロセス。
【発明の詳細な説明】
【技術分野】
【０００１】
本発明は、セルロースエーテルのエステルを調製するための改善されたプロセスに関する。
【背景技術】
【０００２】
セルロースエーテルのエステル、それらの使用及びそれらを調製するためのプロセスは当該技術分野において一般的に既知である。セルロースエーテルの様々な既知のエステルは、フタル酸メチルセルロース、フタル酸ヒドロキシプロピルメチルセルロース、コハク酸メチルセルロース、または酢酸コハク酸ヒドロキシプロピルメチルセルロースなどの医薬剤形用の腸溶性ポリマーとして有用である。腸溶性ポリマーは、胃の酸性環境における溶解に耐性であるものである。このようなポリマーでコーティングされた剤形は、酸性環境において薬物を不活性化もしくは分解から保護するか、または薬物による胃の刺激を阻止する。
【０００３】
米国特許第４，２２６，９８１号及び公開された国際特許出願ＷＯ２０１４／０３１４４７及びＷＯ２０１４／０３１４４８は、エステル化触媒として酢酸ナトリウムなどのアルカリカルボン酸塩、及び反応媒体として酢酸の存在下で、ヒドロキシプロピルメチルセルロースを無水コハク酸及び無水酢酸でエステル化することによって、酢酸コハク酸ヒドロキシプロピルメチルセルロース（ＨＰＭＣＡＳ）などのセルロースエーテルの混合エステルを調製するためのプロセスを開示している。
【０００４】
典型的には、氷酢酸、無水酢酸、ヒドロキシプロピルメチルセルロース（ＨＰＭＣ）、無水コハク酸、及び酢酸ナトリウムが単純に混合され、エステル化反応をもたらすために反応混合物を６０℃〜１１０℃に加熱される。反応媒体として酢酸、及び反応触媒として酢酸ナトリウムが、低価格、反応媒体中での反応物の可溶性、及び副産物の最低限の形成などの周知の利点により、反応系で広く使用されている。しかしながら、反応媒体として酢酸、及び反応触媒として酢酸ナトリウムの使用は、不利益も有する。本特許出願の発明者らは、酢酸ナトリウムが酢酸に溶解されるとき、溶解熱が発生することを発見した。酢酸ナトリウムは、酢酸に容易に溶解する。よって、酢酸へ酢酸ナトリウムを添加すると、典型的には、酢酸ナトリウムが反応媒体中に均質に分配され得る前に、酢酸ナトリウムが酢酸に添加されるスポットで溶解熱が局所的に発生する。出願人は、１つ以上の無水物をセルロースエーテルと反応させるのに十分な熱が局所的に発生し得ることを発見した。酢酸ナトリウムの添加時の過剰な発熱は、混合するのが困難である粘性反応混合物中のホットスポットを含む、制御が不十分な温度の逸脱を引き起こし得る。反応混合物中のホットスポットは、架橋反応によるエステル置換レベルのバラツキ、及びＨＰＭＣＡＳなどの生成されたエステル化セルロースエーテルの分子量のバラツキを引き起こし得る。
【０００５】
よって、セルロースエーテルのエステル化時に、反応混合物中のホットスポットの創出を最小化する方法を発見することが望ましいだろう。
【発明の概要】
【０００６】
意外にも、二酢酸ナトリウムが、セルロースエーテルをエステル化するための反応触媒として酢酸ナトリウムと同程度の効果があること、ならびに同等の条件下で酢酸ナトリウムの代わりに二酢酸ナトリウムが酢酸に溶解される場合、はるかに少ない熱が発生することがわかった。
【０００７】
したがって、本発明は、セルロースエーテルを、（ｉ）脂肪族モノカルボン酸無水物もしくは（ｉｉ）ジカルボン酸無水物または（ｉｉｉ）脂肪族モノカルボン酸無水物とジカルボン酸無水物との組み合わせでエステル化するステップを含み、エステル化反応が酢酸及び二酢酸アルカリ金属塩の存在下で行われる、エステル化セルロースエーテルを調製するためのプロセスに関する。
【図面の簡単な説明】
【０００８】
【図１】酢酸へ二酢酸ナトリウムまたは酢酸ナトリウムを添加した際の、熱量測定値の結果を表す。
【図２】酢酸へ二酢酸ナトリウムまたは酢酸ナトリウムを添加した際の、熱量測定値の結果を表す。
【発明を実施するための形態】
【０００９】
本発明のプロセスにおいて出発材料として使用されるセルロースエーテルは、本発明の文脈において無水グルコース単位として表される、β−１，４グルコシド結合Ｄ−グルコピラノース反復単位を有するセルロース骨格鎖を有する。本発明のプロセスにおいて出発材料として使用されるセルロースエーテルは好ましくは、アルキルセルロース、ヒドロキシアルキルセルロース、またはヒドロキシアルキルアルキルセルロースである。これは、本発明のプロセスにおいて利用されるセルロースエーテルにおいて、無水グルコース単位のセルロース骨格鎖のヒドロキシル基の少なくとも一部がアルコキシル基もしくはヒドロキシアルコキシル基、またはアルコキシル基とヒドロキシアルコキシル基との組み合わせにより置換されることを意味する。ヒドロキシアルコキシル基は典型的には、ヒドロキシメトキシル基、ヒドロキシエトキシル基、及び／またはヒドロキシプロポキシル基である。ヒドロキシエトキシル基及び／またはヒドロキシプロポキシル基が好ましい。典型的には、１または２種類のヒドロキシアルコキシル基がセルロースエーテルに存在する。好ましくは、１種類のヒドロキシアルコキシル基、より好ましくはヒドロキシプロポキシルが存在する。アルコキシル基は典型的には、メトキシル基、エトキシル基、及び／またはプロポキシル基である。メトキシル基が好ましい。
【００１０】
上に定義したセルロースエーテルの例示は、メチルセルロース、エチルセルロース、及びプロピルセルロースなどのアルキルセルロース；ヒドロキシエチルセルロース、ヒドロキシプロピルセルロース、及びヒドロキシブチルセルロースなどのヒドロキシアルキルセルロース；ならびにヒドロキシエチルメチルセルロース、ヒドロキシメチルエチルセルロース、エチルヒドロキシエチルセルロース、ヒドロキシプロピルメチルセルロース、ヒドロキシプロピルエチルセルロース、ヒドロキシブチルメチルセルロース、及びヒドロキシブチルエチルセルロースなどのヒドロキシアルキルアルキルセルロース、ならびにヒドロキシエチルヒドロキシプロピルメチルセルロースなどの２つ以上のヒドロキシアルキル基を有するものである。最も好ましくは、セルロースエーテルはヒドロキシプロピルメチルセルロースである。
【００１１】
無水グルコース単位のヒドロキシル基の、ヒドロキシアルコキシル基による置換度は、ヒドロキシアルコキシル基のモル置換であるＭＳ（ヒドロキシアルコキシル）によって表される。ＭＳ（ヒドロキシアルコキシル）は、セルロースエーテルにおける無水グルコース単位当たりのヒドロキシアルコキシル基のモルの平均数である。ヒドロキシアルキル化反応中に、セルロース骨格鎖に結合されるヒドロキシアルコキシル基のヒドロキシル基は、アルキル化剤、例えばメチル化剤及び／またはヒドロキシルアルキル化剤によってさらにエーテル化されてもよいことを理解されたい。無水グルコース単位の同じ炭素原子位置に対する複数の後続のヒドロキシアルキル化エーテル化反応は側鎖をもたらし、複数のヒドロキシアルコキシル基はエーテル結合によって互いに共有結合され、全体として各側鎖はセルロース骨格鎖に対するヒドロキシアルコキシル置換基を形成する。
【００１２】
よって、用語「ヒドロキシアルコキシル基」は、ＭＳ（ヒドロキシアルコキシル）の文脈において、上に概説するように、１つのヒドロキシアルコキシル基または側鎖のいずれかを含む、ヒドロキシアルコキシル置換基の構成単位としてのヒドロキシアルコキシル基を指すように解釈されなければならず、２つ以上のヒドロキシアルコキシ単位はエーテル結合によって互いに共有結合される。この定義内では、ヒドロキシアルコキシル置換基の末端ヒドロキシル基がさらにアルキル化、例えばメチル化されるか否かは重要ではなく、アルキル化及び非アルキル化両方のヒドロキシアルコキシル置換基は、ＭＳ（ヒドロキシアルコキシル）の決定に関して含まれる。本発明のプロセスにおいて利用されるセルロースエーテルは一般的に、少なくとも０．０５、好ましくは少なくとも０．０８、より好ましくは少なくとも０．１２、及び最も好ましくは少なくとも０．１５のヒドロキシアルコキシル基のモル置換を有する。モル置換度は一般的に、１．００以下、好ましくは０．９０以下、より好ましくは０．７０以下、及び最も好ましくは０．５０以下である。
【００１３】
無水グルコース単位当たりのアルコキシル基（メトキシル基など）によって置換されたヒドロキシル基の平均数は、アルコキシル基の置換度であるＤＳ（アルコキシル）として表される。上に与えられたＤＳの定義において、用語「アルコキシル基によって置換されたヒドロキシル基」は、本発明内に、セルロース骨格鎖の炭素原子に直接結合されたアルキル化ヒドロキシル基だけではなく、セルロース骨格鎖に結合されたヒドロキシアルコキシル置換基のアルキル化ヒドロキシル基も含むように解釈されるものとする。本発明のプロセスにおいて出発材料として使用されるセルロースエーテルは好ましくは、少なくとも１．０、より好ましくは少なくとも１．１、さらにより好ましくは少なくとも１．２、最も好ましくは少なくとも１．４、及び具体的には少なくとも１．６のＤＳ（アルコキシル）を有する。ＤＳ（アルコキシル）は、好ましくは２．５以下、より好ましくは２．４以下、さらにより好ましくは２．２以下、及び最も２．０５以下である。アルコキシル基の置換度及びヒドロキシアルコキシル基のモル置換度は、セルロースエーテルのヨウ化水素を用いたツアイゼル開裂、及び後続の定量ガスクロマトグラフィー分析により決定され得る（Ｇ．Ｂａｒｔｅｌｍｕｓ  ａｎｄ  Ｒ．Ｋｅｔｔｅｒｅｒ，Ｚ．Ａｎａｌ．Ｃｈｅｍ．，２８６（１９７７）１６１−１９０）。最も好ましくは、本発明のプロセスにおいて利用されるセルロースエーテルは、ＤＳ（アルコキシル）に関して上に示される範囲内のＤＳ（メトキシル）、及びＭＳ（ヒドロキシアルコキシル）に関して上に示される範囲内のＭＳ（ヒドロキシプロポキシル）を有するヒドロキシプロピルメチルセルロースである。
【００１４】
本発明のプロセスにおいて出発材料として使用されるセルロースエーテルは、ウベローデに従って２０℃の２．０重量％水溶液として測定されたとき、１．２〜２００ｍＰａ・ｓ、好ましくは１．８〜１００ｍＰａ・ｓ、より好ましくは２．４〜５０ｍＰａ・ｓ、具体的には２．５〜３０ｍＰａ・ｓの粘度を有する。かかる粘度のセルロースエーテルは、より高い粘度のセルロースエーテルを部分脱重合プロセスに供することによって得ることができる。部分脱重合プロセスは、当該技術分野において周知であり、例えば、欧州特許出願第ＥＰ  １１４１０２９号、第ＥＰ  ０２１０９１７号、第ＥＰ  １４２３４３３号、及び米国特許第４，３１６，９８２号に記載されている。あるいは、部分脱重合は、セルロースエーテルの生成中に、例えば、酸素または酸化剤の存在によって達成され得る。
【００１５】
セルロースエーテルは、（ｉ）脂肪族モノカルボン酸無水物もしくは（ｉｉ）ジカルボン酸無水物または（ｉｉｉ）脂肪族モノカルボン酸無水物とジカルボン酸無水物との組み合わせと反応させる。脂肪族モノカルボン酸無水物は、無水酢酸、無水酪酸、及び無水プロピオン酸からなる群から選択されることが好ましい。無水酢酸は、最も好ましい脂肪族モノカルボン酸無水物である。好ましいジカルボン酸無水物は、無水コハク酸、無水マレイン酸、及び無水フタル酸からなる群から選択される。好ましい脂肪族モノカルボン酸無水物は単独で使用され得るか、または好ましいジカルボン酸無水物は単独で使用され得るか、あるいは好ましい脂肪族モノカルボン酸無水物は好ましいジカルボン酸無水物と組み合わせで使用され得る。
【００１６】
脂肪族モノカルボン酸無水物及びジカルボン酸無水物が、セルロースエーテルをエステル化するために使用される場合、２つの無水物は、同時に、または相次いで別々に反応槽内に導入され得る。反応槽内に導入される各無水物の量は、最終生成物において得られる所望のエステル化度に応じて決定され、通常、エステル化による無水グルコース単位の所望のモル置換度の化学量論量の１〜１０倍である。
【００１７】
脂肪族モノカルボン酸の無水物とセルロースエーテルの無水グルコース単位との間のモル比は一般的に、０．１／１以上、好ましくは０．３／１以上、より好ましくは０．５／１以上、最も好ましくは１／１以上、及び具体的には１．５／１以上である。脂肪族モノカルボン酸の無水物とセルロースエーテルの無水グルコース単位との間のモル比は一般的に、１７／１以下、好ましくは１０／１以下、より好ましくは８／１以下、最も好ましくは６／１以下、及び具体的には４／１以下である。
【００１８】
ジカルボン酸の無水物とセルロースエーテルの無水グルコース単位との間のモル比は、好ましくは０．０１／１以上、より好ましくは０．０４／１以上、及び最も好ましくは０．２／１以上である。ジカルボン酸の無水物とセルロースエーテルの無水グルコース単位との間のモル比は、好ましくは２．５／１以下、より好ましくは１．５／１以下、及び最も好ましくは１／１以下である。
【００１９】
本発明のプロセスにおいて利用されるセルロースエーテルの無水グルコース単位のモル数は、ＤＳ（アルコキシル）及びＭＳ（ヒドロキシアルコキシル）からの置換無水グルコース単位の平均分子量を計算することによって、出発材料として使用されるセルロースエーテルの重量から決定することができる。
【００２０】
エステル化反応は、エステル化触媒として、二酢酸ナトリウムまたは二酢酸カリウムなどの二酢酸アルカリ金属塩の存在下で行われる。二酢酸ナトリウムは、化学式ＮａＨ（Ｃ２Ｈ３Ｏ２）２を有する。二酢酸アルカリ金属塩の量は一般的に、セルロースエーテルの１００重量部当たり、２０〜２００重量部の二酢酸アルカリ金属塩である。モル比［二酢酸アルカリ金属塩／セルロースエーテルの無水グルコース単位］は、典型的には、少なくとも０．３：１、少なくとも０．４：１であることが好ましく、少なくとも１．０：１であることがより好ましく、少なくとも１．５：１であることがさらにより好ましく、及び少なくとも１．９：１であることが最も好ましい。モル比［二酢酸アルカリ金属塩／セルロースエーテルの無水グルコース単位］は一般的に、最大１０：１、好ましくは最大５：１、より好ましくは最大３．８：１、さらにより好ましくは最大３．５：１、及び最も好ましくは最大３．０：１である。反応混合物に二酢酸アルカリ金属塩を溶解すると、等モル量の酢酸アルカリ金属塩及び酢酸が形成される。
【００２１】
セルロースエーテルのエステル化は、酢酸の存在下で行われる。酢酸は、反応希釈剤として作用する。反応希釈剤は、ベンゼン、トルエン、１，４−ジオキサン、またはテトラヒドロフランのような芳香族または脂肪族溶媒、あるいはジクロロメタンもしくはジクロロメチルエーテルのようなハロゲン化Ｃ１−Ｃ３誘導体などの、室温で液体であり、セルロースエーテルと反応しない、少量の他の溶媒または希釈剤を含み得るが、酢酸の量は一般的に、反応希釈剤の総量に基づいて、５０パーセントを超える、好ましくは少なくとも７５パーセント、及びより好ましくは少なくとも９０パーセントであるべきである。最も好ましくは、反応希釈剤は酢酸からなる。
【００２２】
モル比［酢酸／セルロースエーテルの無水グルコース単位］は一般的に、少なくとも０．７：１、少なくとも１．２：１であることが好ましく、少なくとも１．５：１であることがより好ましく、少なくとも２：１であることがさらにより好ましく、及び少なくとも３：１であることが最も好ましい。モル比［酢酸／セルロースエーテルの無水グルコース単位］は一般的に、最大７０：１、好ましくは最大６０：１、より好ましくは最大２０：１、さらにより好ましくは最大１５：１、及び最も好ましくは最大１２：１である。これらのモル比は、反応混合物への二酢酸アルカリ金属塩の添加後の酢酸の量に関連し、すなわち、それらは、二酢酸アルカリ金属塩の添加時に反応混合物中に形成される酢酸の量を含む。
【００２３】
反応混合物は一般的に、反応を完了するのに十分な時間、つまり、典型的には２〜２５時間、より典型的には２〜８時間にわたって、６０℃〜１１０℃、好ましくは７０〜１００℃に加熱される。出発材料であるセルロースエーテルは、必ずしも酢酸に可溶であるわけではないが、特にセルロースエーテルの置換度が比較的小さい場合、酢酸中にのみ分散され得るか、または酢酸によってのみ膨張し得る。エステル化反応は、かかる分散されたまたは膨張したセルロースエーテルであっても行うことができ、エステル化反応が進行するにつれて、反応下のセルロースエーテルは一般的に、酢酸に溶解し、最終的に均質な反応混合物をもたらす。
【００２４】
エステル化反応の完了後、反応生成物は、米国特許第４，２２６，９８１号、国際特許出願第ＷＯ２００５／１１５３３０号、または欧州特許出願第ＥＰ０  ２１９  ４２６号などに記載される、既知の方法において、例えば反応混合物を大量の水に接触させることにより、反応混合物から沈殿され得る。本発明の好ましい実施形態では、反応生成物は、粉末の形態でエステル化セルロースエーテルを生成するために、第ＷＯ２０１３／１４８１５４号として公開された国際特許出願第ＰＣＴ／ＵＳ１３／０３０３９４号に記載されるように反応混合物から沈殿される。
【００２５】
本発明のプロセスに従い、（ｉ）脂肪族一価アシル基及び／または（ｉｉ）式−Ｃ（Ｏ）−Ｒ−ＣＯＯＡ（式中、Ｒは二価の脂肪族または芳香族炭化水素基であり、Ａは水素またはカチオンである）の基を有するエステル化セルロースエーテルが生成される。カチオンは、好ましくは、ＮＨ４＋などのアンモニウムカチオン、またはナトリウムもしくはカリウムイオン、より好ましくはナトリウムイオンなどのアルカリ金属イオンである。最も好ましくは、Ａは水素である。脂肪族一価アシル基は、好ましくは、アセチル、プロピオニル、及びｎ−ブチリルまたはｉ−ブチリルなどのブチリルからなる群から選択される。
【００２６】
式−Ｃ（Ｏ）−Ｒ−ＣＯＯＡの好ましい基は、
−Ｃ（Ｏ）−ＣＨ２−ＣＨ２−ＣＯＯＨもしくは−Ｃ（Ｏ）−ＣＨ２−ＣＨ２−ＣＯＯ−Ｎａ＋などの−Ｃ（Ｏ）−ＣＨ２−ＣＨ２−ＣＯＯＡ、
−Ｃ（Ｏ）−ＣＨ＝ＣＨ−ＣＯＯＨもしくは−Ｃ（Ｏ）−ＣＨ＝ＣＨ−ＣＯＯ−Ｎａ＋などの−Ｃ（Ｏ）−ＣＨ＝ＣＨ−ＣＯＯＡ、または
−Ｃ（Ｏ）−Ｃ６Ｈ４−ＣＯＯＨもしくは−Ｃ（Ｏ）−Ｃ６Ｈ４−ＣＯＯ−Ｎａ＋などの−Ｃ（Ｏ）−Ｃ６Ｈ４−ＣＯＯＡである。
【００２７】
式−Ｃ（Ｏ）−Ｃ６Ｈ４−ＣＯＯＡの基において、カルボニル基及びカルボキシル基は、好ましくは、オルト位置に配置される。
【００２８】
好ましいエステル化セルロースエーテルは、
ｉ）ＨＰＭＣＸＹ及びＨＰＭＣＸ（式中、ＨＰＭＣはヒドロキシプロピルメチルセルロースであり、酢酸フタル酸ヒドロキシプロピルメチルセルロース（ＨＰＭＣＡＰ）、酢酸マレイン酸ヒドロキシプロピルメチルセルロース（ＨＰＭＣＡＭ）、酢酸コハク酸ヒドロキシプロピルメチルセルロース（ＨＰＭＣＡＳ）、もしくは酢酸ヒドロキシプロピルメチルセルロース（ＨＰＭＣＡ）などの、ＸはＡ（酢酸塩）であるか、またはＸはＢ（酪酸塩）であるか、またはＸはＰｒ（プロピオン酸塩）であり、ＹはＳ（コハク酸塩）であるか、またはＹはＰ（フタル酸塩）であるか、またはＹはＭ（マレイン酸塩）である）、あるいは
ｉｉ）フタル酸ヒドロキシプロピルメチルセルロース（ＨＰＭＣＰ）、酢酸コハク酸ヒドロキシプロピルセルロース（ＨＰＣＡＳ）、プロピオン酸コハク酸ヒドロキシブチルメチルセルロース（ＨＢＭＣＰｒＳ）、プロピオン酸コハク酸ヒドロキシエチルヒドロキシプロピルセルロース（ＨＥＨＰＣＰｒＳ）、及び酢酸コハク酸メチルセルロース（ＭＣＡＳ）である。
【００２９】
酢酸コハク酸ヒドロキシプロピルメチルセルロース（ＨＰＭＣＡＳ）は、最も好ましいエステル化セルロースエーテルである。
【００３０】
エステル化セルロースエーテルは、上にさらに示されるＤＳ（メトキシル）及びＭＳ（ヒドロキシアルコキシル）を有する。本発明のプロセスに従い生成されたエステル化セルロースエーテルは、０（ゼロ）、または好ましくは少なくとも０．０５、より好ましくは少なくとも０．１０、最も好ましくは少なくとも０．１５、及び具体的には少なくとも０．２０の、アセチル基、プロピオニル基、またはブチリル基などの脂肪族一価アシル基の置換度を有する。脂肪族一価アシル基の置換度は一般的に、最大１．７５、好ましくは最大１．５０、より好ましくは最大１．２５、及び最も好ましくは最大１．００である。エステル化セルロースエーテルは一般的に、０（ゼロ）または好ましくは少なくとも０．０５、より好ましくは少なくとも０．１０の、スクシノイルなどの式−Ｃ（Ｏ）−Ｒ−ＣＯＯＡの基の置換度を有する。スクシノイルなどの式−Ｃ（Ｏ）−Ｒ−ＣＯＯＡの基の置換度は一般的に、最大１．６、好ましくは最大１．３０、より好ましくは最大１．００、最も好ましくは最大０．７０、及び具体的には最大０．６０である。ｉ）脂肪族一価アシル基の置換度と、ｉｉ）式−Ｃ（Ｏ）−Ｒ−ＣＯＯＡの基の置換度との合計は０よりも大きい。これは一般的に、少なくとも０．１０、好ましくは少なくとも０．２０、より好ましくは少なくとも０．３０、及び最も好ましくは少なくとも０．４０である。この合計は一般的に、最大１．９、好ましくは最大１．５５、より好ましくは最大１．１５、及び具体的には最大１．００である。
【００３１】
酢酸及びコハク酸エステル基の含量は、“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に従い決定される。報告された値は、揮発物に対して補正される（上記のＨＰＭＣＡＳ各条のセクション「乾燥減量」に記載されるように決定される）。本方法は、プロピオニル基、ブチリル基、フタリル基、及び他のエステル基の含量を決定するために、アナログ方法で使用され得る。
【００３２】
エステル化セルロースエーテル中のエーテル基の含量は、“Ｈｙｐｒｏｍｅｌｌｏｓｅ”，Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ３４６７−３４６９に記載されるのと同じ方法で決定される。
【００３３】
上の分析により得られたエーテル基及びエステル基の含量は、以下の式に従い、個々の置換基のＤＳ値及びＭＳ値に変換される。この式は、他のセルロースエーテルエステルの置換基のＤＳ及びＭＳを決定するために、アナログ方法で使用され得る。
【００３４】
【数１】
0006426878.tif 000002
【００３５】
慣例では、重量パーセントは、全ての置換基を含む、セルロース反復単位の総重量に基づいた平均重量パーセントである。メトキシル基の含量は、メトキシル基（すなわち、−ＯＣＨ３）の質量に基づいて報告される。ヒドロキシアルコキシル基の含量は、ヒドロキシプロポキシル（すなわち、−Ｏ−ＣＨ２ＣＨ（ＣＨ３）−ＯＨ）などのヒドロキシアルコキシル基（すなわち、Ｏ−アルキレン−ＯＨ）の質量に基づいて報告される。脂肪族一価アシル基の含量は、−Ｃ（Ｏ）−Ｒ１の質量に基づいて報告され、式中、Ｒ１は、アセチル（−Ｃ（Ｏ）−ＣＨ３）などの一価脂肪族基である。式−Ｃ（Ｏ）−Ｒ−ＣＯＯＨの基の含量は、スクシノイル基（すなわち、−Ｃ（Ｏ）−ＣＨ２−ＣＨ２−ＣＯＯＨ）の質量などの基の質量に基づく。
【００３６】
エステル化セルロースエーテルは一般的に、２０℃の０．４３重量％水性ＮａＯＨ中２．０重量％エステル化セルロースエーテル溶液として測定されたとき、最大２００ｍＰａ・ｓ、好ましくは最大１００ｍＰａ・ｓ、より好ましくは最大５０ｍＰａ・ｓ、さらにより好ましくは最大３０ｍＰａ・ｓ、最も好ましくは最大１０ｍＰａ・ｓ、及び具体的には最大５ｍＰａ・ｓの粘度を有する。一般的に、粘度は、２０℃の０．４３重量％水性ＮａＯＨ中２．０重量％エステル化セルロースエーテル溶液として測定されたとき、少なくとも１．２ｍＰａ・ｓ、典型的には少なくとも１．８ｍＰａ・ｓ、及びより典型的には少なくとも２．４ｍＰａ・ｓである。２．０重量％エステル化セルロースエーテル溶液は、“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に記載されるように調製され、続いてＤＩＮ５１５６２−１：１９９９−０１（Ｊａｎｕａｒｙ  １９９９）に従いウベローデ粘度測定が行われる。
【００３７】
ここで本発明のいくつかの実施形態が以下の実施例においてより詳細に記載される。
【実施例】
【００３８】
別途記載のない限り、全ての部及びパーセントは重量に基づく。実施例において、以下の試験手順が使用される。
【００３９】
ヒドロキシプロピルメチルセルロース（ＨＰＭＣ）試料の粘度
ＨＰＭＣ試料の粘度は、２０℃±０．１℃の２．０重量％水溶液として測定された。２．０重量％ＨＰＭＣ水溶液は、米国薬局方（ＵＳＰ  ３５、“Ｈｙｐｒｏｍｅｌｌｏｓｅ”、３４６７−３４６９頁）に従い調製され、ＤＩＮ５１５６２−１：１９９９−０１（Ｊａｎｕａｒｙ  １９９９）に従いウベローデ粘度測定が行われた。
【００４０】
酢酸コハク酸ヒドロキシプロピルメチルセルロース（ＨＰＭＣＡＳ）の粘度
０．４３重量％水性ＮａＯＨ中２．０重量％ＨＰＭＣＡＳ溶液は、“Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に記載されるように調製され、続いてＤＩＮ５１５６２−１：１９９９−０１（Ｊａｎｕａｒｙ  １９９９）に従い、２０℃でウベローデ粘度測定が行われた。
【００４１】
ＨＰＭＣＡＳ及びＨＰＭＣＰのエーテル及びエステル基の含量
ＨＰＭＣＡＳ及びＨＰＭＣＰ中のエーテル基の含量は、“Ｈｙｐｒｏｍｅｌｌｏｓｅ”，Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ３４６７−３４６９に記載されるのと同じ方法で決定された。
【００４２】
アセチル基でのエステル置換（−ＣＯ−ＣＨ３）、スクシノイル基でのエステル置換（−ＣＯ−ＣＨ２−ＣＨ２−ＣＯＯＨ）、及びフタリル基でのエステル置換（−ＣＯ−Ｃ６Ｈ４−ＣＯＯＨ）は、Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０”に従い決定された。エステル置換に関して報告された値は、揮発物に関して補正された（上記のＨＰＭＣＡＳ各条のセクション「乾燥減量」に記載されるように決定された）。
【００４３】
酢酸コハク酸ヒドロキシプロピルメチルセルロース（ＨＰＭＣＡＳ）の生成
【００４４】
比較実施例Ａ
氷酢酸（８８５．２ｇ）、固体無水コハク酸（８４．６ｇ）、及び無水酢酸（３７１．４ｇ）を、Ｅｋａｔｏ式の壁スクレーパ／インペラ二重攪拌機を装備した１ガロン（３．８リットル）のガラス製ジャケット付反応器に添加した。粉末形態の固体酢酸ナトリウム（「微粉酢酸ナトリウム」、４３５．５ｇ）及びＨＰＭＣ（乾燥基準の計算で５００．８ｇ）が添加された時点で攪拌しながら、このスラリーを約５０℃に加熱した。反応物を添加するために漏斗を使用し、反応器壁を氷酢酸（２３０．０ｇ）で洗浄した。ゆえに、反応混合物中の氷酢酸の結果として得られる総重量は、１１１５．２ｇであった。ＨＰＭＣは、１．９０のメトキシル基での置換度、ＤＳＭ、０．２４のヒドロキシプロポキシル基でのモル置換、ＭＳＨＰ、及び２０℃で２％水溶液として測定されたとき、約３ｍＰａ・ｓの粘度を有した。ＨＰＭＣは、Ｍｅｔｈｏｃｅｌ  Ｅ３  ＬＶ  ＰｒｅｍｉｕｍセルロースエーテルとしてＴｈｅ  Ｄｏｗ  Ｃｈｅｍｉｃａｌ  Ｃｏｍｐａｎｙから市販されている。
【００４５】
スラリーを攪拌しながら８８℃に加熱した。薄いスラリーをこの温度で３時間攪拌した。次いで、０．２時間を超えて水（１０００ｇ）を添加することによって、反応混合物を反応停止させた。反応停止させた反応混合物の一部を、高剪断力を用いて過剰な水中で沈殿させた。単離された湿潤ケーキを真水で洗浄し、次いで６０℃で乾燥させて固体ＨＰＭＣＡＳを得た。
【００４６】
比較実施例Ｂ
微粉酢酸ナトリウムの代わりに粒状酢酸ナトリウムを使用し、以下の表１に列記されるように反応物のいくつかの量が若干異なったことを除いて、比較実施例Ａの手順を繰り返した。
【００４７】
実施例１
氷酢酸の初期量が８８５．２ｇではなく６４５．０ｇであったこと、及び微粉酢酸ナトリウムの代わりに二酢酸ナトリウム粉末（「微粉二酢酸ナトリウム」）を使用したことを除いて、比較実施例Ａの手順を繰り返した。二酢酸ナトリウムが等モル量の酢酸ナトリウム及び酢酸を有するように、氷酢酸の初期投与量は、最終反応混合物が比較実施例Ａ及びＢと同じ酢酸レベルを有するように選択された。
【００４８】
反応物を添加するために漏斗を使用し、比較実施例Ａにあるように反応器壁を氷酢酸（２３０．２ｇ）で洗浄した。反応物の重量における僅かな偏差が、以下の表１に列記されている。比較実施例Ａ及びＢのように固体ＨＰＭＣＡＳを達成した。
【００４９】
実施例２
微粉酢酸ナトリウムの代わりに二酢酸ナトリウム粉末（「微粉二酢酸ナトリウム」）を使用したことを除いて、比較実施例Ａの手順を繰り返した。
【００５０】
比較熱量測定Ｉ
各々が２４０ｍｌ（２５０ｇ）の体積を有する３つの等しい氷酢酸の試料を、機械撹拌機で攪拌される、絶縁された蓋付きビーカー中で２２℃に平衡化させた。第１のビーカーに１００ｇの微粉二酢酸ナトリウムを添加し、第２のビーカーに１００ｇの微粉酢酸ナトリウムを添加し、第３のビーカーに１００ｇの粒状酢酸ナトリウムを添加した。
【００５１】
個々のビーカーへの微粉二酢酸ナトリウム、微粉酢酸ナトリウム（粉末酢酸ナトリウム）、及び粒状酢酸ナトリウムの添加時の氷酢酸の温度対時間が、図１に例示されている。図１の矢印は、微粉二酢酸ナトリウム、微粉酢酸ナトリウム、及び粒状酢酸ナトリウムの添加時点を示す。図１に例示されるように、微粉酢酸ナトリウムまたは粒状酢酸ナトリウムの添加時に急激な温度上昇が生じる。それとは対照的に、二酢酸ナトリウムの添加時には、温度上昇がほとんど観察されていない。
【００５２】
比較熱量測定ＩＩ
微粉二酢酸ナトリウム、微粉酢酸ナトリウム、及び粒状酢酸ナトリウムの添加前に、３つの等体積の氷酢酸を８０℃に平衡化させることを除いて、比較熱量測定Ｉを繰り返す。個々のビーカーへの微粉二酢酸ナトリウム、微粉酢酸ナトリウム、及び粒状酢酸ナトリウムの添加時の氷酢酸の温度対時間が、図２に例示されている。図２の矢印は、微粉二酢酸ナトリウム、粒状酢酸ナトリウム、及び微粉酢酸ナトリウムの添加時点を示す。図２に例示されるように、微粉酢酸ナトリウムまたは粒状酢酸ナトリウムの添加時に著しい温度上昇が生じる。それとは対照的に、二酢酸ナトリウムの添加時には、温度低下でさえ観察される。
【００５３】
ＨＰＭＣＡＳ生成などのセルロースエーテルをエステル化するための反応混合物中において、酢酸への酢酸ナトリウム添加時の発熱は、図１及び２に例示されるように、混合するのが困難である粘性反応混合物中のホットスポットを含む、制御が不十分な温度の逸脱を引き起こし得る。局所的ホットスポットは、エステル化反応を局所的に加速し、架橋反応によるエステル置換レベルのバラツキ、及び生成されるエステル化セルロースエーテルの分子量のバラツキを引き起こし得る。増加した架橋は、ＨＰＭＣＡＳ生成物中に不溶性粒子をもたらし得る。
【００５４】
図１及び２に例示される結果は、酢酸への二酢酸ナトリウムなどの二酢酸アルカリ金属塩の添加が、セルロースエーテルをエステル化するための反応混合物中にホットスポットをもたらさないことを示す。酢酸の初期温度に応じて、二酢酸ナトリウムの添加時に穏やかな適度な温度上昇のみ、またはさらには温度低下が観察される。温度低下は、局所的な過剰反応が回避され、僅かな冷却は、反応時間の僅かな増加により調節され得るため、エステル置換レベルのバラツキを生じず、生成物の品質に悪影響を与えない。
【００５５】
以下の表１及び２の結果は、ＨＰＭＣＡＳなどのエステル化セルロースエーテルは、酢酸アルカリ金属塩と同じ方法で、触媒として二酢酸アルカリ金属塩を使用することによって生成され得ることを例示する。表２に列記されているエステル置換は、平均的な置換であるということに留意されたい。局所的なホットスポットの影響は、列記されるエステル置換からは認識できない。
【００５６】
さらに、本特許出願の発明者は、二酢酸ナトリウムが、酢酸ナトリウムよりも貯蔵安定性があることを発見した。酢酸ナトリウム粉末が３日間以上外気に触れて貯蔵された場合、湿気の吸収により５０重量％を超えて増加し、外見は堅くなり、その流動性を失った。二酢酸ナトリウムに対しては、重量の増加が観察されなかった。３日間以上外気に触れて貯蔵された場合であっても、自由に流動する粉末のままであった。これは、本発明のプロセスを容易にした。
【００５７】
【表１】
0006426878.tif 000003
【００５８】
【表２】
0006426878.tif 000004
【００５９】
フタル酸ヒドロキシプロピルメチルセルロース（ＨＰＭＣＰ）の生成
【００６０】
比較実施例Ｃ
Ｅｋａｔｏ式の壁スクレーパ／インペラ二重攪拌機を装備した１ガロン（３．８リットル）のガラス製ジャケット付反応器に、氷酢酸（１１５０．１ｇ）を添加した。この溶液を、ＨＰＭＣ（乾燥基準の計算で２１５．７ｇ）、固体無水フタル酸（３６８．２ｇ）、及び粒状形態の固体酢酸ナトリウム（「粒状酢酸ナトリウム」、２４６．３ｇ）が添加された時点で約４５℃に加熱した。ＨＰＭＣは、１．９０のメトキシル基での置換度、ＤＳＭ、０．２４のヒドロキシプロポキシル基でのモル置換、ＭＳＨＰ、及び２０℃で２％水溶液として測定されたとき、約３ｍＰａ・ｓの粘度を有した。ＨＰＭＣは、Ｍｅｔｈｏｃｅｌ  Ｅ３  ＬＶ  ＰｒｅｍｉｕｍセルロースエーテルとしてＴｈｅ  Ｄｏｗ  Ｃｈｅｍｉｃａｌ  Ｃｏｍｐａｎｙから市販されている。
【００６１】
スラリーを攪拌しながら８８℃に加熱した。薄いスラリーをこの温度で４時間攪拌した。次いで、０．２時間を超えて水（３００ｇ）を添加することによって、反応混合物を反応停止させた。反応停止させた反応混合物の一部を、高剪断力を用いて過剰な水中で沈殿させた。単離された湿潤ケーキを真水で洗浄し、次いで６０℃で乾燥させて固体ＨＰＭＣＰを得た。
【００６２】
実施例３
氷酢酸の初期量が１１５０．１ｇではなく９７２．６ｇであったこと、及び微粉酢酸ナトリウムの代わりに二酢酸ナトリウム粉末（「微粉二酢酸ナトリウム」）を使用したことを除いて、比較実施例Ｃの手順を繰り返した。二酢酸ナトリウムが等モル量の酢酸ナトリウム及び酢酸を有するように、氷酢酸の初期投与量は、最終反応混合物が比較実施例Ｃと同じ酢酸レベルを有するように選択された。
【００６３】
反応物の重量における僅かな偏差が、以下の表３に列記されている。比較実施例Ｃのように固体ＨＰＭＣＰを達成した。
【００６４】
【表３】
0006426878.tif 000005
【００６５】
【表１】
0006426878.tif 000006
（態様）
（態様１）
エステル化セルロースエーテルを調製するためのプロセスであって、セルロースエーテルを、（ｉ）脂肪族モノカルボン酸無水物もしくは（ｉｉ）ジカルボン酸無水物または（ｉｉｉ）脂肪族モノカルボン酸無水物とジカルボン酸無水物との組み合わせでエステル化するステップを含み、前記エステル化反応が酢酸及び二酢酸アルカリ金属塩の存在下で行われる、プロセス。
（態様２）
前記二酢酸アルカリ金属塩が二酢酸ナトリウムである、態様１に記載のプロセス。
（態様３）
モル比［酢酸／セルロースエーテルの無水グルコース単位］が、［１．２：１］〜［２０：１］である、態様１または２に記載のプロセス。
（態様４）
モル比［酢酸／セルロースエーテルの無水グルコース単位］が、［１．５：１］〜［１２：１］である、態様３に記載のプロセス。
（態様５）
モル比［二酢酸アルカリ金属塩／セルロースエーテルの無水グルコース単位］が、［０．４：１］〜［５：１］である、態様１〜４のいずれか一項に記載のプロセス。
（態様６）
モル比［二酢酸アルカリ金属塩／セルロースエーテルの無水グルコース単位］が、［１．０：１］〜［３．８：１］である、態様５に記載のプロセス。
（態様７）
前記セルロースエーテルが、ウベローデに従って２０℃の２．０重量％水溶液として測定されたとき、１．８〜１００ｍＰａ・ｓの粘度を有する、態様１〜６のいずれか一項に記載のプロセス。
（態様８）
前記セルロースエーテルが、アルキルセルロース、ヒドロキシアルキルセルロース、またはヒドロキシアルキルアルキルセルロースである、態様１〜７のいずれか一項に記載のプロセス。
（態様９）
前記脂肪族モノカルボン酸無水物が、無水酢酸、無水酪酸、及び無水プロピオン酸からなる群から選択され、前記ジカルボン酸無水物が、無水コハク酸、無水マレイン酸、及び無水フタル酸からなる群から選択される、態様１〜８のいずれか一項に記載のプロセス。
（態様１０）
ヒドロキシプロピルメチルセルロースが、無水コハク酸及び無水酢酸でエステル化されて酢酸コハク酸ヒドロキシプロピルメチルセルロースを生成する、態様８または９に記載のプロセス。
【図１】
0006426878.tif 000007
【図２】
0006426878.tif 000008